(57)【特許請求の範囲】
【請求項１】
開口を形成する枠体が有する単一のレールに案内されて移動可能であり、前記開口を閉塞する際に互いに突き合わされる２枚の障子を備えた建具であって、
前記２枚の障子は、互いに突き合わされる突合せ框を有し、
各々の前記突合せ框は、互いに対向する側に突出させて設けられ、前記２枚の障子が互いに突き合わされた状態にて見込み方向に重なるように配置される難燃性または不燃性の突出片と、
長手方向における端部に前記レールが挿入されるレール挿入凹部と、
を有し、
各々の前記突合せ框に設けられた前記突出片のうちの一方の前記突出片には加熱発泡材が設けられており、
前記２枚の障子の前記突合せ框の少なくともいずれか一方には、前記加熱発泡材と見込み方向に間隔を隔てて対面する難燃性または不燃性の対面片が設けられており、
前記加熱発泡材は、加熱されて前記対面片との間に発泡して、前記レール挿入凹部を塞ぐことを特徴とする建具。
【請求項２】
請求項１に記載の建具であって、
前記加熱発泡材が設けられた前記突出片と前記対面片との間には、前記レール挿入凹部より下に位置する底部が設けられていることを特徴とする建具。
【請求項３】
請求項１または請求項２に記載の建具であって、
前記対面片には、前記加熱発泡材と対面する部位に他の加熱発泡材が設けられていることを特徴とする建具。
【請求項４】
請求項１乃至請求項３のいずれかに記載の建具であって、
前記対面片は、前記突合せ框とは別の部材として形成されて当該突合せ框に固定されていることを特徴とする建具。
【発明の詳細な説明】
【技術分野】
【０００１】
本発明は、開口を形成する枠体が有する単一のレールに案内されて移動可能であり、前記開口を閉塞する際に互いに突き合わされる２枚の障子を備えた建具に関する。
【背景技術】
【０００２】
開口を形成する枠体が有する単一のレールに案内されて移動可能で有り、前記開口を閉塞する際に互いに突き合わされる２枚の障子を備えた建具としては、例えば、２枚の突合せ障子と両袖障子とからなる４枚建の建具が知られている（例えば、特許文献１参照）。このような建具のなかには、断熱性を高めるために、金属製の部材の室内側に合成樹脂製の部材を結合させて各框を形成しているものがある。また、互いに突き合わされる突合せ障子の突合せ框は、金属製の部材と合成樹脂製の部材とから各々、互いに対向する方向にヒレ状の部位を突出させ、金属製のヒレ状の部位同士および合成樹脂製の部位同士がそれぞれ見込み方向に重なるように配置されているものもある。さらに、火災等により加熱されたときに、突き合わせ部分が変形して隙間が生じないように、金属製のヒレ状の部位の室内に向く面に、加熱されて発泡する加熱発泡材を設けたものもある。
【先行技術文献】
【特許文献】
【０００３】
【特許文献１】特開２００４―３００７３４号公報
【発明の概要】
【発明が解決しようとする課題】
【０００４】
上記のような建具では、金属製のヒレ状の部位に設けられた加熱発泡材が、火災時に発泡したときに、合成樹脂製の部材におけるヒレ状の部位が溶融してしまっていると、発泡した加熱発泡材が保持されず落下して突き合わせ部に隙間が生じる虞があるという課題がある。
【０００５】
本発明は、かかる課題に鑑みてなされたものであり、その目的とするところは、突合せ障子が火炎に晒されても突き合わせ部分に隙間が生じにくい建具を提供することにある。
【課題を解決するための手段】
【０００６】
かかる目的を達成するために本発明の建具は、開口を形成する枠体が有する単一のレールに案内されて移動可能であり、前記開口を閉塞する際に互いに突き合わされる２枚の障子を備えた建具であって、前記２枚の障子は、互いに突き合わされる突合せ框を有し、各々の前記突合せ框は、互いに対向する側に突出させて設けられ、前記２枚の障子が互いに突き合わされた状態にて見込み方向に重なるように配置される難燃性または不燃性の突出片と、長手方向における端部に前記レールが挿入されるレール挿入凹部と、
を有し、各々の前記突合せ框に設けられた前記突出片のうちの一方の前記突出片には加熱発泡材が設けられており、前記２枚の障子の前記突合せ框の少なくともいずれか一方には、前記加熱発泡材と見込み方向に間隔を隔てて対面する難燃性または不燃性の対面片が設けられており、前記加熱発泡材は、加熱されて前記対面片との間に発泡して、前記レール挿入凹部を塞ぐことを特徴とする建具である。
【０００７】
このような建具によれば、各々の突合せ框に設けられた難燃性または不燃性の突出片のうちの一方の突出片に設けられた加熱発泡材が加熱された際には、加熱発泡材が設けられた突出片と、この突出片と見込み方向に間隔を隔てて対面する難燃性または不燃性の対面片との間にて加熱発泡材が発泡するので、発泡した加熱発泡材が対面片に押さえられて突出片と対面片との間に保持される。このため、突出片と対面片との間が加熱発泡材で埋められるので、突合せ障子が火炎に晒されても突き合わせ部分に隙間が生じにくい建具を提供することが可能である。
【０００９】
また、レールに案内されて移動する障子は、端部にレールが挿入されているので、レールが挿入されているレール挿入凹部から火炎が貫通しやすい。上記のような建具によれば、突出片に設けられた加熱発泡材が加熱された際に対面片との間に発泡してレール挿入凹部を塞ぐので、レール挿入凹部から、建具の一方側から他方側へ火炎が貫通することを防止することが可能である。
【００１０】
かかる建具であって、前記加熱発泡材が設けられた前記突出片と前記対面片との間には、前記レール挿入凹部より下に位置する底部が設けられていることが望ましい。
【００１１】
このような建具によれば、加熱発泡材が設けられた突出片と対面片との間には底部が設けられているので、たとえ発泡した加熱発泡材が落下したとしても底部上に留めることが可能である。また、底部は、レール挿入凹部より下に位置しているので、発泡した加熱発泡材が落下したとしても底部上に残存する加熱発泡材によりレール挿入凹部を塞ぐことが可能である。
【００１２】
かかる建具であって、前記対面片には、前記加熱発泡材と対面する部位に他の加熱発泡材が設けられていることが望ましい。
【００１３】
このような建具によれば、対面片の、加熱発泡材と対面する部位に他の加熱発泡材が設けられているので、加熱された際には加熱発泡材が互いに対向する側から各々発泡するので、突き合わせ部分に隙間がより生じにくい建具を提供することが可能である。
【００１４】
かかる建具であって、前記対面片は、前記突合せ框とは別の部材として形成されて当該突合せ框に固定されていることが望ましい。
【００１５】
このような建具によれば、対面片を備えていない、たとえば、既存の突き合わせ障子であっても、対面片を有する部材を取り付けるだけで、火炎に晒されても突き合わせ部分に隙間が生じることを防止することが可能である。
【発明の効果】
【００１６】
本発明によれば、突合せ障子が火炎に晒されても突き合わせ部分に隙間が生じにくい建具を提供することが可能である。
【図面の簡単な説明】
【００１７】
【図１】本実施形態に係る建具の内観姿図である。
【図２】建具の縦断面図である。
【図３】建具の横断面図である。
【図４】右の突合せ框の上端部を突き合わされる側から見た側面図である。
【図５】右の突合せ框の上端部を示す斜視図である。
【図６】図３におけるＡ部の拡大図である。
【図７】対面部材を示す斜視図である。
【発明を実施するための形態】
【００１８】
以下、本発明の一実施形態に係る建具について図面を参照して説明する。
【００１９】
本実施形態の建具は、図１に示すように、枠体１０が形成する開口１ａを閉塞する際に互いに突き合わされる２枚の突合せ障子２０、２１と２枚の袖障子２２とを有する４枚建の引き違い窓用の建具１である。
【００２０】
以下の説明においては、建物等に取り付けられた状態の建具１を室内側から見たときに、上下となる方向を上下方向、左右となる方向を左右方向、室内外方向である奥行き方向を見込み方向として示す。建具１の各部位であっても、また、建具１を構成する各部材については単体の状態であっても、建具１が取り付けられた状態で上下方向、左右方向、見込み方向等となる方向にて方向を特定して説明する。
【００２１】
本実施形態の建具１は、図１〜図３に示すように、矩形状に枠組みされ見込み方向に並べて配置された２本のレール１０ａ、１０ｂを備えた枠体１０と、枠体１０のレール１０ａ、１０ｂに沿って移動可能に設けられ、枠体１０により形成され室内と室外とを連通する開口１ａを閉塞可能な４枚の障子２０、２１、２２を備えている。
【００２２】
２枚の突合せ障子２０、２１は、枠体１０の室内側に設けられたレール１０ａに沿って移動可能であり、２枚の袖障子２２は枠体１０の室外側に設けられたレール１０ｂに沿って移動可能である。互いに隣り合う突合せ障子２０と袖障子２２及び突合せ障子２１と袖障子２２とは、互いの相対移動を規制するクレセント錠３により施錠されることにより４枚の障子２０、２１、２２により開口１ａを閉塞した状態が維持されるように構成されている。
【００２３】
２枚の突合せ障子２０、２１と２枚の袖障子２２は、いずれも面材としての複層ガラス５と、複層ガラス５の各端部を各々収容するアルミニウム製の４本の框材から成る框体２００、２１０、２２０とを有している。突合せ障子２０、２１の框体２００、２１０は、複層ガラス５の上に位置する上框２０１、２１１と、複層ガラス５の下に位置する下框２０２、２１２と、開口１ａを閉塞した状態で互いに突き合わされる突合せ框２０３、２１３と、クレセント錠３により互いに移動が規制される袖障子２２と見込み方向に対向する召合せ框２０４、２１４とを有している。
【００２４】
框体２００、２１０は、左右に間隔を隔てて配置された突合せ框２０３、２１３と召合せ框２０４、２１４との上端部間に上框２０１、２１１が配置され、下端部間に下框２０２、２１２が配置され、突合せ框２０３、２１３および召合せ框２０４、２１４側から進入するビスが上框２０１、２２２および下框２０２、２１２に螺合されて矩形状に框組みされている。
【００２５】
框体２００、２１０の上下端部には、上枠１１に設けられたレール１０ａおよび下枠１２に設けられたレール１０ａが挿入される凹部が設けられている。上框２０１、２１１は上面側に設けられ長手方向に沿って設けられレール１０ａが摺接する合成樹脂製の摺動部材４が配置された溝部２０１ａ、２１１ａが凹部をなし、下框２０２、２１２は下面側に設けられ長手方向に沿う溝部２０２ａ、２１２ａが凹部をなし、突合せ框２０３、２１３および召合せ框２０４、２１４は上端部および下端部に設けられ長手方向における中央側に窪むレール挿入凹部２０３ａ、２１３ａ（図４〜図６）が凹部をなしている。下端側のレール挿入凹部は図示していない。また、図４、図５においては、カバー材２１３ｃを図示していない。
【００２６】
２つの突合せ框２０３、２１３は、図６に示すように、アルミニウム製の押し出し成形部材で成る框本体２０３ｂ、２１３ｂと、框本体２０３ｂ、２１３ｂの室内側を覆う合成樹脂製の押し出し成形部材で成るカバー材２０３ｃ、２１３ｃと、を有している。２つの突合せ框２０３、２１３の框本体２０３ｂ、２１３ｂは、いずれも、見込み方向に並び上下方向に貫通する２つ中空部２０３ｄ、２０３ｅ、２１３ｄ、２１３ｅを有している。２つの中空部２０３ｄ、２０３ｅ、２１３ｄ、２１３ｅは、室内側に位置する室内中空部２０３ｄ、２１３ｄが室外側に位置する室外中空部２０３ｅ、２１３ｅより框体２００、２１０の内周側に突出しており、内周側に突出して室内中空部２０３ｄ、２１３ｄを形成する部位には、カバー材２０３ｃ、２１３ｃの係止部２０３ｆ、２１３ｆが設けられている。
【００２７】
室外中空部２０３ｅ、２１３ｅ内には、框本体２０３ｂ、２１３ｂの全長に亘って水平断面がコ字状をなす鉄製の補強部材８が、コ字状の開放されている側が室内側を向くように配置されて設けられている。また、室外中空部２０３ｅ、２１３ｅを形成して見込み方向に対面する室外壁部２０３ｇ、２１３ｇと中央壁部２０３ｈ、２１３ｈとの上下端部には、各々対面する側、すなわち補強部材８側にシート状をなす加熱発泡材としての熱膨張性黒鉛７が設けられている。
【００２８】
框本体２０３ｂ、２１３ｂは、室外中空部２０３ｅ、２１３ｅを形成し室外に臨む室外壁部２０３ｇ、２１３ｇと繋がって室外中空部２０３ｅ、２１３ｅより框体２００、２１０の内周側に延出する延出片２０３ｉ、２１３ｉを有している。２つの突合せ框２０３、２１３が有する框本体２０３ｂ、２１３ｂの互いに対向する対向面２０３ｊ、２０３ｋ、２１３ｊ、２１３ｋは、室内側の対向面２０３ｊ、２１３ｊが室外側の対向面２０３ｋ、２１３ｋより僅かに框体２００、２１０の内周側に窪んでいる。室内側の対向面２０３ｊ、２１３ｊは、室内中空部２０３ｄ、２１３ｄのより室外側、すなわち室外中空部２０３ｅ、２１３ｅに入り込み、室外側の対向面２０３ｋ、２１３ｋとの間にカバー材２０３ｃ、２１３ｃの係止部２０３ｌ、２１３ｌが設けられている。
【００２９】
２つの突合せ框２０３、２１３が有する框本体２０３ｂ、２１３ｂの室外側の対向面２０３ｋ、２１３ｋには、室外側の端部側に互いに対向する側に突出させて設けられ、互いに突き合わされた状態にて見込み方向に重なるように配置される突出片２０３ｍ、２１３ｍを有している。より具体的には、２つの突合せ框２０３、２１３が互いに突き合わされた状態にて、左側の突合せ框２０３に設けられた左突出片２０３ｍが、右側の突合せ框２１３に設けられた右突出片２１３ｍより室外側に位置するように２つの突出片２０３ｍ、２１３ｍは設けられている。また、左の突合せ框２０３の対向面２０３ｋには、左突出片２０３ｍと係止部２０３ｌとの間に全長に亘って加熱発泡材としての熱膨張性黒鉛７が設けられている。
【００３０】
左突出片２０３ｍは、２つの突合せ框２０３、２１３の室外壁部２０３ｇ、２１３ｇより僅かに室内側に配置させて右側の突合せ框２１３側に向かい、先端が右側の突合せ框２１３の対向面２１３ｋと僅かに間隔を隔てた位置まで突出している。左突出片２０３ｍの室内側の面における対向面２０３ｋ側には室内側に突出するようにシール材９が嵌合されている。
【００３１】
右突出片２１３ｍは、左突出片２０３ｍより僅かに室内側に配置させて左側の突合せ框２０３側に向かい、先端が左側の突合せ框２０３の対向面２０３ｋと僅かに間隔を隔てた位置まで突出している。右突出片２１３ｍの先端の部分は、先端に向かって左突出片２０３ｍとの間隔が僅かに広がるような傾斜をなしている。２つの突合せ框２０３、２１３が突き合わされたときには、左突出片２０３ｍに設けられたシール材９に右突出片２１３ｍが係合するように構成されている。右突出片２１３ｍの傾斜していない部位の室内に臨む面には、全長に亘って加熱発泡材としての熱膨張性黒鉛７が設けられている。
【００３２】
左右の突合せ框２０３、２１３を構成する左右のカバー材２０３ｃ、２１３ｃは各々、框本体２０３ｂ、２１３ｂの室内中空部２０３ｄ、２１３ｄを形成する部位を室内側から覆うように水平断面がほぼコ字状をなしている。より具体的には、カバー材２０３ｃ、２１３ｃは、框本体２０３ｂ、２１３ｂの室内に臨む面２０３ｎ、２１３ｎを覆う室内カバー部２０３ｏ、２１３ｏと、框本体２０３ｂ、２１３ｂの両側面における室内側の部分を覆う外周カバー部２０３ｐ、２１３ｐ及び内周カバー部２０３ｑ、２１３ｑとを有している。外周カバー部２０３ｐ、２１３ｐ及び内周カバー部２０３ｑ、２１３ｑの先端には、框本体２０３ｂ、２１３ｂに設けられた係止部２０３ｆ、２０３ｌ、２１３ｆ、２１３ｌに係止される係止片２０３ｒ、２１３ｒがそれぞれ設けられている。
【００３３】
係止片２０３ｒ、２１３ｒが係止部２０３ｆ、２０３ｌ、２１３ｆ、２１３ｌに係止されて左右の框本体２０３ｂ、２１３ｂに装着された左右のカバー材２０３ｃ、２１３ｃは、内周カバー部２０３ｑ、２１３ｑの室外側の先端２０３ｓ、２１３ｓが框本体２０３ｂ、２１３ｂの延出片２０３ｉ、２１３ｉの先端と対向する位置に設けられている。カバー材２０３ｃ、２１３ｃが框本体２０３ｂ、２１３ｂに装着された状態で、室外中空部２０３ｅ、２１３ｅの内周側に形成され、外周側に窪む溝部２０３ｔ、２１３ｔにガスケット６を介して複層ガラス５の端部が挿入されて複層ガラス５が保持されている。外周カバー部２０３ｐ、２１３ｐは、２つの突合せ障子２０、２１の框本体２０３ｂ、２１３ｂが互いに対向する対向面２０３ｊ、２０３ｋ、２１３ｊ、２１３ｋにて框体２００、２１０の内周側に窪む室内側の対向面２０３ｊ、２１３ｊに配置され、室外側の対向面２０３ｋ、２１３ｋとほぼ同一平面をなしている。
【００３４】
左右のカバー材２０３ｃ、２１３ｃには、互いに対向する外周カバー部２０３ｐ、２１３ｐの先端に互いに対向する側、すなわち係止片２０３ｒ、２１３ｒと反対側に突出させてカバー突片２０３ｕ、２１３ｕが設けられている。左側のカバー材２０３ｃに設けられた左カバー突片２０３ｕと右側のカバー材２１３ｃに設けられた右カバー突片２１３ｕとは、左右の突合せ框２０３、２１３が突き合わされた状態で、互いに係合するように構成されている。このため、左右の突合せ框２０３、２１３が突き合わされた状態では、左右突合せ框２０３、２１３の間に、左の框本体２０３ｂに設けられた左突出片２０３ｍのシール材９に係合する右の框本体２１３ｂに設けられた右突出片２１３ｍと、左のカバー材２０３ｃの左カバー突片２０３ｕと右のカバー材２１３ｃの右カバー突片２１３ｕとにより上下方向に沿って区画された空間Ｓが形成される。
【００３５】
左右の突合せ框２０３、２１３の間に形成される空間Ｓ内には、右突出片２１３ｍと見込み方向に間隔を隔てて対面する対面片３１を備えた不燃性である鉄製の対面部材３０が、右側の框本体２１３ｂに固定されて設けられている。対面部材３０は、図４、５、図７に示すように、右の框本体２１３ｂの上端部に設けられたレール挿入凹部２１３ａより下の部位に当接されて框本体２１３ｂにビス止めされる框当接部３２と、框当接部３２の室内側の縁から右の突合せ框２１３側に突出され右突出片２１３ｍと見込み方向にて対面する対面片３１と、框当接部３２の下縁から水平方向に延出された底部としての下延出部３３と、を有している。
【００３６】
図４〜図６に示すように、対面部材３０の框当接部３２における左突合せ框２０３に向く面３２ａ、対面片３１において右突出片２１３ｍと対面する面３１ａ、および、下延出部３３の上面３３ａには、それぞれ加熱発泡材としての熱膨張性黒鉛７が設けられている。
【００３７】
本実施形態の建具１によれば、２枚の突合せ障子２０、２１に各々設けられた左突出片２０３ｍまたは右突出片２１３ｍのうち、室内側に配置された右突出片２１３ｍの室内側の面に設けられた熱膨張性黒鉛７が加熱された際には、右突出片２１３ｍと、この右突出片２１３ｍと見込み方向に間隔を隔てて対面する対面部材３０の対面片３１との間にて熱膨張性黒鉛７が発泡するので、発泡した熱膨張性黒鉛７が対面片３１に押さえられて保持される。このため、右突出片２１３ｍと対面片３１との間が熱膨張性黒鉛７で埋められるので、突合せ障子２０、２１が火炎に晒されても突き合わせ部分に隙間が生じにくい建具１を提供することが可能である。すなわち、火炎により合成樹脂製のカバー材２０３ｃ、２１３ｃが溶融してしまっても、右突出片２１３ｍと対面片３１との間にて膨張した熱膨張性黒鉛７を保持することが可能である。
【００３８】
また、２枚の突合せ障子２０、２１の上端部に設けられたレール挿入凹部２０３ａ、２１３ａは、右突出片２１３ｍと対面片３１との間にて膨張した熱膨張性黒鉛７により塞がれるので、レール挿入凹部２０３ａを通って室内外の一方側から他方側へ火炎が貫通することを防止することが可能である。
【００３９】
また、熱膨張性黒鉛７が設けられた右突出片２１３ｍと対面片３１との間には下延出部３３が設けられているので、たとえ発泡した熱膨張性黒鉛７が落下したとしても下延出部３３上に留めることが可能である。また、下延出部３３は、レール挿入凹部２１３ａの下端より下に位置しているので、発泡した熱膨張性黒鉛７が右突出片２１３ｍから落下したとしても下延出部３３上に残存する熱膨張性黒鉛７によりレール挿入凹部２１３ａを塞ぐことが可能である。本実施形態においては、左右の突合せ框２０３、２１３の間に形成される空間Ｓ内において、対面部材３０の框当接部３２における左突合せ框２０３に向く面３２ａ、下延出部３３の上面３３ａ、および、左の框本体２０３ｂの室外側の対向面２０３ｋにも熱膨張性黒鉛７が備えられているので、突き合わせ部分における隙間の発生をより確実に抑えることが可能である。
【００４０】
また、対面片３１を、突合せ框２０３、２１３と別の対面部材３０に設けて突合せ框２１３の框本体２１３ｂに固定する構成としたので、例えば、たとえば、右突出片２１３ｍと対面する部位を備えていない既存の突合せ障子であっても、対面部材３０を取り付けるだけで、火炎に晒されても突き合わせ部分に隙間が生じにくい建具１を提供することが可能である。
【００４１】
また、突合せ框２０３、２１３が、框本体２０３ｂ、２１３ｂの室内側を覆う合成樹脂製のカバー材２０３ｃ、２１３ｃを各々有しており、カバー材２０３ｃ、２１３ｃから突出させた左右のカバー突片２０３ｕ、２１３ｕが係合して、対面部材３０の室内側にて見込み方向に重なるように配置したので、２枚の突合せ障子２０、２１の間にて対面片３１をも覆うことにより、意匠性に優れた建具１を提供することが可能である。
【００４２】
上記実施形態においては、対面部材３０の框当接部３２における左の突合せ框２０３に向く面３２ａ、対面片３１の、右突出片２１３ｍと対面する面３１ａ、および、下延出部３３の上面３３ａにそれぞれ熱膨張性黒鉛７を設けた例について説明したが、対面部材には必ずしも熱膨張性黒鉛が設けられていなくともよい。すなわち、右突出片に設けられた熱膨張性黒鉛と対面する対面片が設けられていれば、少なくとも、発泡した熱膨張性黒鉛を対面片との間に圧縮して留めることが可能である。このため、下延出部も必ずしも設けられていなくともよい。
【００４３】
上記実施形態においては、対面片３１を備えた対面部材３０を框本体２０３ｂ、２１３ｂとは別体にて形成して右の框本体２１３ｂに固定する例について説明したが、対面片を框本体に直接設けても構わない。また、上記実施形態においては、対面部材３０が右の突合せ框２１３に取り付けられている例について説明したが、左の突合せ框２０３に取り付けられていても構わない。
【００４４】
上記実施形態においては、左の突合せ框２０３の左突出片２０３ｍが右の突合せ框２１３の右突出片２１３ｍより室外側に位置する例について説明したが、右の突合せ框の右突出片が左の突合せ框の左突出片より室外側に位置しているなど、左右の突合せ框の構成が、入れ替わっていても構わない。
【００４５】
また、上記実施形態は、本発明の理解を容易にするためのものであり、本発明を限定して解釈するためのものではない。本発明は、その趣旨を逸脱することなく、変更、改良され得ると共に、本発明にはその等価物が含まれることはいうまでもない。
【符号の説明】
【００４６】
１  建具、１ａ  開口、７  熱膨張性黒鉛、１０  枠体、１０ａ  レール、
１０ｂ  レール、２０  突合せ障子、２１  突合せ障子、３０  対面部材、
３１  対面片、３３  下延出部、２０３  突合せ框、２０３ａ  レール挿入凹部、
２０３ｍ  左突出片、２１３  突合せ框、２１３ａ  レール挿入凹部、
２１３ｍ  右突出片、Ｓ  空間、
【図１】
0006333657.tif 000002
【図２】
0006333657.tif 000003
【図３】
0006333657.tif 000004
【図４】
0006333657.tif 000005
【図５】
0006333657.tif 000006
【図６】
0006333657.tif 000007
【図７】
0006333657.tif 000008